(57)【要約】【課題】内扉の断熱性能を維持し、又は、改善しながら構造を簡素化させてコストの削減を図り、構造上の安定度も向上させた自動販売機を提供する。【解決手段】上部側内扉２１は、商品サンプル室の背面を構成する商品サンプル取付板３１と、この商品サンプル取付板３１の後側に、当該商品サンプル取付板３１の前面に取り付けられる部材の取付構造を逃げるための間隔ｇを存して設けられた断熱材３２とを備える。断熱材の前面に商品サンプル取付板の後面に部分的に当接する突出部４１を一体に成形する。【選択図】図７
2014032463.tif 000002
【特許請求の範囲】
【請求項１】
本体の前面開口を開閉自在に閉塞する外扉と、該外扉内に構成された商品サンプル室と、前記本体内に構成された商品収納部と、前記商品サンプル室に対応して設けられ、前記商品収納部の前面開口を開閉自在に閉塞する内扉とを備えた自動販売機において、
前記内扉は、前記商品サンプル室の背面を構成する商品サンプル取付板と、該商品サンプル取付板の後側に間隔を存して設けられた断熱材とを備え、
該断熱材の前面には、前記商品サンプル取付板の後面に部分的に当接する突出部が一体に成形されていることを特徴とする自動販売機。
【請求項２】
前記突出部の前端は、前記商品サンプル取付板の後面に線接触、又は、点接触することを特徴とする請求項１に記載の自動販売機。
【請求項３】
前記商品サンプル取付板の前面に前記部材が取り付けられると想定される範囲に対応する部分には、前記突出部は形成されていないことを特徴とする請求項１又は請求項２に記載の自動販売機。
【請求項４】
前記断熱材の前面には、前記商品サンプル取付板の後側に間隔を存して、当該商品サンプル取付板の後面で成長する結露水を流下させるための排水溝が上下に渡って一体に成形されていることを特徴とする請求項１乃至請求項３のうちの何れかに記載の自動販売機。
【請求項５】
前記排水溝を含む前記断熱材の前面には、前記商品サンプル取付板の後面に当接する連続気泡のパッキンが左右に渡って設けられていることを特徴とする請求項４に記載の自動販売機。
【請求項６】
前記断熱材の前面には、前記商品サンプル取付板の後側に間隔を存して、配線を収納するための配線収納部が一体に成形されていることを特徴とする請求項１乃至請求項５のうちの何れかに記載の自動販売機。
【請求項７】
前記商品サンプル取付板を前記断熱材に取り付け、又は、それに加えて前記内扉を前記外扉に取り付けるための内扉取付板を備え、
該内扉取付板は、前記断熱材にインサート成形により、一体に埋め込まれていることを特徴とする請求項１乃至請求項６のうちの何れかに記載の自動販売機。
【請求項８】
前記断熱材の下側に設けられ、前記商品サンプル取付板からの結露水を受ける排水受けが形成されたカバーを備え、
該カバーは、前記内扉取付板に取り付けられていることを特徴とする請求項７に記載の自動販売機。
【発明の詳細な説明】
【技術分野】
【０００１】
本発明は、外扉内に構成された商品サンプル室に対応する内扉を備えた自動販売機に関するものである。
【背景技術】
【０００２】
従来よりこの種自動販売機においては、本体の前面を閉塞する外扉の上部に商品サンプル室が構成され、この商品サンプル室に販売する商品のサンプルが陳列されている。商品サンプル室の後側には、本体内の商品収納部を閉塞するための上部側内扉（内扉）が設けられ、この上部側内扉は外扉と一体に開閉可能とされていた。
【０００３】
また、この上部側内扉は商品サンプル室の背面を構成し、商品サンプルを保持する商品サンプル保持具や照明装置等の部材が前面に取り付けられた商品サンプル取付板と、その後側に設けられた断熱材から構成されている。そして、外扉を開いた状態で当該外扉から独立して後方に開閉自在とされ、外扉から後方に開いた状態で、商品サンプルの交換が可能とされていた（例えば、特許文献１参照）。
【先行技術文献】
【特許文献】
【０００４】
【特許文献１】実開平５−７１９８２号公報
【発明の概要】
【発明が解決しようとする課題】
【０００５】
ここで、従来より商品サンプル取付板は薄い板金から成る塗装鋼板にて構成され、断熱材としては発泡ポリウレタン等の単純な板状断熱材が使用されていた。一方で、商品サンプル取付板と断熱材との間には、商品サンプル保持具や照明装置等の部材を取り付ける構造（商品サンプル保持具と一体成形の爪やネジ等の格別な取付具）を逃げるための間隔を構成しなければならない。この間隔は、断熱材から商品サンプル取付板に直接伝達される冷却作用を抑制する効果はあるものの、上部側内扉自体が構造上不安定となる要因となっていた。
【０００６】
また、係る商品サンプル取付板に間隔を存して断熱材を取り付ける必要性から、従来では図８に示すように商品サンプル取付板１００に多数の曲げ加工（１０１で示す）を施し、断熱材を囲い込む構成としなければならず、コストの高騰も引き起こしていた。更に、図８のように片方に曲げ加工１１０を施すと、商品サンプル取付板の重心が偏って上部側内扉が片下リ状態となってしまう欠点もあった。
【０００７】
更にまた、商品サンプル取付板１００で断熱材を囲い込むことから、側面の曲げ加工部分１０１を伝わって商品収納部から冷却作用が伝達されるため、上部側内扉自体の断熱性能が低下すると共に、商品サンプル取付板への結露も増大する。そして、この結露水を処理する構造も別途必要となるため、部品点数も増大する問題があった。
【０００８】
本発明は、係る従来の技術的課題を解決するためになされたものであり、内扉の断熱性能を維持し、又は、改善しながら構造を簡素化させてコストの削減を図り、構造上の安定度も向上させた自動販売機を提供することを目的とするものである。
【課題を解決するための手段】
【０００９】
上記課題を解決するために本発明の自動販売機は、本体の前面開口を開閉自在に閉塞する外扉と、この外扉内に構成された商品サンプル室と、本体内に構成された商品収納部と、商品サンプル室に対応して設けられ、商品収納部の前面開口を開閉自在に閉塞する内扉とを備えたものにおいて、内扉は、商品サンプル室の背面を構成する商品サンプル取付板と、この商品サンプル取付板の後側に間隔を存して設けられた断熱材とを備えており、この断熱材の前面には、商品サンプル取付板の後面に部分的に当接する突出部が一体に成形されていることを特徴とする。
【００１０】
請求項２の発明の自動販売機は、上記発明において突出部の前端は、商品サンプル取付板の後面に線接触、又は、点接触することを特徴とする。
【００１１】
請求項３の発明の自動販売機は、上記各発明において商品サンプル取付板の前面に部材が取り付けられると想定される範囲に対応する部分には、突出部は形成されていないことを特徴とする。
【００１２】
請求項４の発明の自動販売機は、上記各発明において断熱材の前面に、商品サンプル取付板の後側に間隔を存して、当該商品サンプル取付板の後面で成長する結露水を流下させるための排水溝が上下に渡って一体に成形されていることを特徴とする。
【００１３】
請求項５の発明の自動販売機は、上記発明において排水溝を含む断熱材の前面には、商品サンプル取付板の後面に当接する連続気泡のパッキンが左右に渡って設けられていることを特徴とすることを特徴とする。
【００１４】
請求項６の発明の自動販売機は、上記各発明において断熱材の前面には、商品サンプル取付板の後側に間隔を存して、配線を収納するための配線収納部が一体に成形されていることを特徴とする。
【００１５】
請求項７の発明の自動販売機は、上記各発明において商品サンプル取付板を断熱材に取り付け、又は、それに加えて内扉を外扉に取り付けるための内扉取付板を備え、この内扉取付板は、断熱材にインサート成形により、一体に埋め込まれていることを特徴とする。
【００１６】
請求項８の発明の自動販売機は、上記発明において断熱材の下側に設けられ、商品サンプル取付板からの結露水を受ける排水受けが形成されたカバーを備え、このカバーは、内扉取付板に取り付けられていることを特徴とする。
【発明の効果】
【００１７】
本発明によれば、本体の前面開口を開閉自在に閉塞する外扉と、この外扉内に構成された商品サンプル室と、本体内に構成された商品収納部と、商品サンプル室に対応して設けられ、商品収納部の前面開口を開閉自在に閉塞する内扉とを備えた自動販売機において、内扉は、商品サンプル室の背面を構成する商品サンプル取付板と、この商品サンプル取付板の後側に間隔を存して設けられた断熱材とを備えており、この断熱材の前面には、商品サンプル取付板の後面に部分的に当接する突出部が一体に成形されているので、通常薄い板金から構成された商品サンプル取付板を、断熱材の突出部にて後から支えることができるようになり、内扉の構造上の安定度を向上させることができるようになる。
【００１８】
この場合、突出部は部分的に商品サンプル取付板に当接するので、商品サンプル取付板前面への部材の取り付けにも支障は生じない。また、突出部は断熱材と一体に成形されているので、部品点数の増大によるコストの高騰も生じない。更に、突出部が断熱材と商品サンプル取付板間の間隔に存在することで、この間隔における空気の対流が抑制され、内扉の断熱性能が向上する効果もある。
【００１９】
更に、請求項２の発明の如く突出部の前端が、商品サンプル取付板の後面に線接触、又は、点接触するようにすれば、断熱材を介して商品サンプル取付板に商品収納部から直接伝導する冷却作用も最小限に抑えられるようになるので、内扉の断熱性能が低下することも無く、商品サンプル取付板に成長する結露水も抑制される。
【００２０】
このとき、請求項３の発明の如く商品サンプル取付板の前面に部材が取り付けられると想定される範囲に対応する部分には、突出部を形成しないようにすれば、部材の取付位置が、陳列する商品サンプルの寸法等によって異なる複数種の商品サンプル取付板に対し、断熱材を支障無く使用することができるようになり、汎用性に富んだものとなる。
【００２１】
また、請求項４の発明の如く断熱材の前面に、商品サンプル取付板の後側に間隔を存して、当該商品サンプル取付板の後面で成長する結露水を流下させるための排水溝を上下に渡って一体に成形すれば、商品サンプル取付板の後面に生じた結露水を、排水溝により円滑に排出することができるようになる。この場合にも排水溝は断熱材と一体に成形されているので、排水構造が簡素化され、部品点数の削減によるコストの低減を図ることが可能となる。
【００２２】
更に、請求項５の発明の如く排水溝を含む断熱材の前面に、商品サンプル取付板の後面に当接する連続気泡のパッキンを左右に渡って設ければ、排水溝から離れた位置に成長した結露水をパッキンにて吸収し、蒸発処理、或いは、排水溝まで導いて排出処理することができるようになる。また、パッキンが左右に渡って設けられ、断熱材と商品サンプル取付板間の間隔を上下で区画することになるので、間隔内に下方から流入してくる空気や、間隔内における上下方向の空気の対流が阻止され、これによっても断熱性能が向上する。
【００２３】
また、請求項６の発明の如く断熱材の前面に、商品サンプル取付板の後側に間隔を存して、配線を収納するための配線収納部を一体に成形すれば、商品サンプル取付板から引き出された、或いは、商品サンプル取付板に向かう配線を、この配線収納部に収納することができるようになる。これにより、格別な配線収納具を取り付ける必要がなくなり、部品点数の簡素化を図ることができるようになる。
【００２４】
そして、請求項７の発明の如く商品サンプル取付板を断熱材に取り付けるための内扉取付板を、断熱材にインサート成形により、一体に埋め込むようにすれば、通常塗装鋼板にて構成される商品サンプル取付板に複雑な曲げ加工を施すこと無く、断熱材に一体に埋め込まれた内扉取付板に商品サンプル取付板を取り付けることができるようになる。これにより、商品サンプル取付板の形状を著しく簡素化することができるようになり、コストダウンを達成することが可能となる。
【００２５】
また、従来の如く商品サンプル取付板により断熱材を囲い込む必要もなくなるので、商品サンプル取付板に商品収納部から直接伝導する冷却作用も抑制され、これによっても内扉の断熱性能が向上する。更に、内扉取付板を用いて内扉を外扉に取り付けるようにすれば、内扉を外扉に取り付けるための構造も簡素化することができ、一層のコストの削減を図ることが可能となる。
【００２６】
更にまた、請求項８の発明の如く断熱材の下側に設けられ、商品サンプル取付板からの結露水を受ける排水受けが形成されたカバーを、内扉取付板に取り付けるようにすれば、結露水を排出するための機能を奏するカバーを内扉に取り付けるための構造も簡素化することができるようになるものである。
【図面の簡単な説明】
【００２７】
【図１】本発明を適用した実施例の自動販売機の正面図である。
【図２】図１の自動販売機の外扉を開放した状態の斜視図である。
【図３】図１の自動販売機の上部側内扉の斜視図である。
【図４】図３の上部側内扉の分解斜視図である。
【図５】図３の上部側内扉の断熱材と内扉取付板の斜視図である。
【図６】図３の上部側内扉の商品サンプル取付板の斜視図である。
【図７】図３の上部側内扉の要部拡大縦断側面図である。
【図８】従来の商品サンプル取付板の斜視図である。
【発明を実施するための形態】
【００２８】
以下、本発明の実施の形態について、詳細に説明する。図１は実施例の自動販売機１の正面図を示し、図２は外扉３を開いた状態の自動販売機１の斜視図をそれぞれ示している。実施例の自動販売機１は、前面が開口した断熱性の本体２と、この本体２の前面を開閉自在に閉塞するよう一側（実施例では向かって左側）が本体２に回動自在に枢支された外扉３を備えている。
【００２９】
この外扉３の前面上部には商品サンプル室４が構成されており、この商品サンプル室４内に陳列された複数の各商品サンプル（販売する商品のサンプル）に対応して複数の商品選択スイッチ６が配置されている。また、商品サンプル室４の下側の外扉３前面には、広告パネル（広告表示部）５が構成されており、この広告パネル５の下側の外扉３前面下部には商品取出口７が構成されている。
【００３０】
更に、外扉３前面の向かって右側（非枢支側）中央部には化粧パネル８が取り付けられており、この化粧パネル８内に位置して硬貨投入口９、返却レバー１１が設けられている。また、この化粧パネル８の向かって左側の外扉３前面には、金額表示器１２が取り付けられている。更に、この金額表示器１２の下側の外扉３前面には紙幣識別装置（ビルバリ）１４が取り付けられており、商品取出口７の向かって右側の外扉３前面には硬貨返却口１３が構成されている。
【００３１】
一方、本体２の内部には上下左右及び後面が断熱壁で囲繞され、前面が開口した商品収納部１６が構成されており、この商品収納部１６は断熱性の仕切板１７によって左右方向が仕切られている。この仕切板１７で仕切られた商品収納部１６内には、販売する商品が蛇行状の商品通路に収納されるサーペンタイン式の商品収納コラム１８が前後方向及び左右方向に複数設けられている。
【００３２】
商品収納部１６の前面には、それぞれ断熱性を有し、商品収納部１６の前面開口の上部側を開閉するための上部側内扉２１（本発明の内扉）と、商品収納部１６の前面開口の下部側を開閉するための下部側内扉２２が設けられている。この下部側内扉２２は本体２に回動自在に枢支されている。
【００３３】
また、下部側内扉２２の下部には商品収納部１６側と外扉３側とを連通する商品搬出口２３が左右方向に並設されている。各商品搬出口２３には開閉自在の搬出扉２４が上縁を中心して回動自在に取り付けられており、前方に案内される商品に押されて回転し、商品搬出口２３を開放して商品を商品取出口７に搬出する構成とされている。また、商品収納部１６の前側下部には、商品収納部１６内において生じる結露水を受容するドレン受け２６が設けられている。
【００３４】
他方、本発明の内扉としての上部側内扉２１は、外扉３の商品サンプル室４の後側に対応して当該外扉３に取り付けられており、外扉３を開閉することにより、上部側内扉２１によって商品収納部１６の前面開口の上部側が開閉される構成とされている。更に、上部側内扉２１は外扉３を開放した状態で、当該外扉３から独立して後方に開閉自在とされ、上部側内扉２１を外扉３から後方に開いた状態で、商品サンプル室４内に陳列される商品サンプルを交換できるように構成されている。
【００３５】
次に、図３乃至図７を参照して本発明に係る内扉の実施例としての上部側内扉２１の構造について詳述する。実施例の上部側内扉２１は、商品サンプル室４の背面となる商品サンプル取付板３１と、その後側に間隔を存して設けられた断熱材３２と、断熱材３２の下側に設けられたカバー３３等から構成されている。
【００３６】
商品サンプル取付板３１は、上部側内扉２１が外扉３の後側に閉じられた状態で商品サンプル室４の背面となるものであり、図６に示されるような薄い板金の塗装鋼板から成る矩形状の平板から構成されている。この商品サンプル取付板３１には、商品サンプルを照明するためのＬＥＤ照明装置３４を取り付けるための複数の取付孔３６や、商品サンプルを保持するための商品サンプル保持具５０のブラケット４０を取り付けるための複数の取付孔３５、外扉３に係合するフック３７が通過する透孔３８等が形成されている。上記商品サンプル保持具５０やＬＥＤ照明装置３４が本発明における商品サンプル取付板３１前面に取り付けられる部材に相当する。実施例の商品サンプル保持具５０は左右の前記ブラケット４０と、それらの間に渡って取り付けられる商品サンプル棚４５等から構成されている（図７）。そして、これら商品サンプル保持具５０やＬＥＤ照明装置３４は商品サンプル取付板３１の前面に複数段設けられる。尚、商品サンプル保持具５０やＬＥＤ照明装置３４の位置は、陳列する商品サンプルの寸法等によって異なるので、取付孔３５、３６の位置は、販売する商品によって異なって来る。
【００３７】
この場合、実施例では商品サンプル保持具５０のブラケット４０の後端から取付爪（取付構造）３９が突出しており、この取付爪３９が前面側から取付孔３５に係合することで、商品サンプル保持具５０は商品サンプル取付板３１の前面に取り付けられる。そのため、取付爪３９は商品サンプル取付板３１の後側に突出することになる。尚、ＬＥＤ照明装置３４はブラケット４０の間に位置し、同様の取付構造で取付孔３６に取り付けられるので、同じく商品サンプル取付板３１の後側に突出することになる。
【００３８】
一方、断熱材３２は実施例では発泡スチロールから成る成形断熱材であり、商品サンプル取付板３１と略同じ幅寸法と、それよりも小さい上下寸法、及び、必要な断熱厚みを備えている。尚、実施例の発泡スチロールは成形が容易であるものの、従来のウレタンよりも断熱性能そのものは落ちるので、その分厚さ寸法を許容範囲で拡大する。但し、本発明では後述するような特徴により、上部側内扉２１は十分なる断熱性能を維持することになる。この断熱材３２の前面には、図５に示すように前方に突出した複数の突出部４１が一体に成形されている。実施例の各突出部４１は左右に渡って筋状に延在しており、その縦断面は実施例では図７に示すような半円形とされている。
【００３９】
但し、商品サンプル保持具５０やＬＥＤ照明装置３４を取り付けるための商品サンプル取付板３１の取付孔３５、３６の位置は、前述したように販売する商品（陳列する商品サンプルの寸法）によって異なってくるので、取付孔３５、３６が形成されると想定される範囲（商品サンプル取付板３１に取付孔３５、３６が形成される可能性のある範囲）に対応する部分には突出部４１は形成されていない（図５にＸで示す部分）。
【００４０】
また、断熱材３２の前面の向かって左側には、突出部４１が上下に渡って連続して形成されていない部分が二カ所一体成形され、それぞれ排水溝４２、配線収納部４３とされる。また、断熱材３２の前面の突出部４１以外の部分、実施例では左右に延在する突出部４１の上側には左右に渡ってパッキン４４が複数取り付けられている（図４では省略）。各パッキン４４は連続気泡のスポンジ等から構成されており、排水溝４２及び配線収納部４３まで渡っている。このとき、実施例では突出部４１も左右に渡っているので、パッキン４４を取り付ける際には、突出部４１に沿ってそれらの間に配置すれば良くなり、取付作業性が良好となる。
【００４１】
更に、断熱材３２の周縁部３２Ａは突出部４１と同様に前方に突出しており、左右の縁部３２Ａには厚肉の鋼板から成る内扉取付板４６がインサート成形により一体に埋め込まれている。実施例では左右の内扉取付板４６は同一のものを上下反転させて使用しており、向かって右側の内扉取付板４６には前記フック３７が取り付けられ、向かって左側の内扉取付板４６には外扉３に上部側内扉２１を回動自在に取り付けるための上側のヒンジ４７が取り付けられる。また、前記排水溝４２と配線収納部４３の下端に対応する縁部３２Ａには切欠部３２Ｂがそれぞれ形成されている。
【００４２】
他方、カバー３３は鋼板から成り、商品サンプル取付板３１と略同じ幅寸法と、それと断熱材３２の上下方向の寸法差分の上下寸法を有している。カバー３３の下縁には前方に折曲された排水受け４８が形成されており、この排水受け４８の向かって左側には排水部４９が切欠形成されている（図４）。
【００４３】
そして、商品サンプル取付板３１は断熱材３２に前方から被せられ、その周縁部が断熱材３２の周縁部３２Ａ前面に宛がわれる。この状態で商品サンプル取付板３１の左右縁部を断熱材３２に埋め込まれた内扉取付板４６にそれぞれネジ止めすることにより、商品サンプル取付板３１を断熱材３２に取り付ける。また、カバー３３は断熱材３２に下方から宛がわれ、その左右縁上端を断熱材３２の内扉取付板４６にネジ止めする。更に、左右縁及び下縁部を商品サンプル取付板３１の縁部にネジ止めすることで、商品サンプル取付板３１下部の後側で断熱材３２の下側にカバー３３を取り付ける。
【００４４】
尚、カバー３３の向かって左側には、外扉３に上部側内扉２１を回動自在に取り付けるための下側のヒンジ４７を取り付ける。また、フック３７は透孔３８から前方に突出する。そして、このように組み立てた上部側内扉２１を上下のヒンジ４７を用いて外扉３の商品サンプル室４後側に対応する位置に回動自在に枢支する。また、外扉３を閉じた状態では、下部側内扉２２の上部はカバー３３の後側に重合するかたちとなる。
【００４５】
このように組み立てられた上部側内扉２１の商品サンプル取付板３１と断熱材３２間の前記Ｘの部分には周縁部３２Ａの高さ分の間隔Ｇが構成されるので、商品サンプル取付板３１の前面に取り付けられる部材である商品サンプル保持具５０の取付爪３９（取付構造）やＬＥＤ照明装置３４の取付構造を逃げることができる。また、断熱材３２の突出部４１の前端は商品サンプル取付板３１の後面に線接触で当接（部分的に当接）し、薄い板金から成る商品サンプル取付板３１を後側から支える。更に、パッキン４４は商品サンプル取付板３１の後面に当接する（図７）。
【００４６】
また、配線収納部４３と商品サンプル取付板３１との間にも間隔Ｇが構成されるので、ＬＥＤ照明装置３４からの配線をこの配線収納部４３内に収納し、切欠部３２Ｂから引き出す（パッキン４４は配線部分のみ潰れる）。
【００４７】
また、排水溝４２と商品サンプル取付板３１との間にも間隔Ｇが構成される。ここで、商品サンプル取付板３１の後面に結露が成長した場合、結露水はパッキン４４に吸収され、そこで蒸発するか、或いは、その内部を伝って排水溝４２に至る。このとき、突出部４１は左右に渡って形成され、且つ、パッキン４４はその上側において左右に渡って設けられ、排水溝４２まで渡っているので、結露水がパッキン４４から下方に流下してしまうことを突出部４１で阻止することができる。これにより、排水溝４２から離れた位置の商品サンプル取付板３１後面の結露水も、蒸発しきれないものはパッキン４４を伝って排水溝４２に向かうことになる。この排水溝４２まで来た結露水はパッキン４４からしみ出した後、排水溝４２内を下方に流れ、切欠部３２Ｂからカバー３３内に入り、流下して排水受け４８に受容される。そして、排水部４９から下方に流出し、前述したドレン受け２６等に案内されて処理されることになる。
【００４８】
以上詳述した如く本発明では上部側内扉２１の断熱材３２前面に、商品サンプル取付板３１の後面に部分的に当接する突出部４１を一体に成形したので、薄い板金から構成された商品サンプル取付板３１を、断熱材３２の突出部４１にて後から支えることができるようになり、上部側内扉２１を補強してその構造上の安定度を向上させることができるようになる。
【００４９】
また、突出部４１は部分的に商品サンプル取付板３１に当接するので、商品サンプル保持具５０やＬＥＤ照明装置３４の取り付けにも支障は生じない。また、突出部４１は断熱材３２と一体に成形されているので、部品点数の増大によるコストの高騰も生じない。更に、突出部４１が断熱３２材と商品サンプル取付板３１間の間隔Ｇに存在することで、この間隔Ｇにおける空気の対流が抑制され、上部側内扉２１の断熱性能が向上する。
【００５０】
特に、実施例では突出部４１を断面半円形に形成しており、その前端は商品サンプル取付板４１の後面に線接触するので、断熱材３２を介して商品サンプル取付板３１に商品収納部１６から直接伝導する冷却作用も最小限に抑えられるようになる。従って、上部側内扉２１の断熱性能が低下することも無く、商品サンプル取付板３１の後面や前面に成長する結露水も抑制される。
【００５１】
また、前述したように商品サンプル保持具５０やＬＥＤ照明装置３４が取り付けられると想定される範囲の商品サンプル取付板３１に対応する部分（図５のＸの部分）には、突出部４１を形成していないので、商品サンプル保持具５０やＬＥＤ照明装置３４の取付位置、即ち、取付孔３６の位置が陳列する商品サンプルの寸法によって異なる複数種の商品サンプル取付板３１に対し、断熱材３２を兼用することができるようになり、汎用性の良いものとなる。
【００５２】
また、断熱材３２の前面には、商品サンプル取付板３１の後側に間隔Ｇを存して、当該商品サンプル取付板３１の後面で成長する結露水を流下させるための排水溝４２を上下に渡って一体に成形しているので、商品サンプル取付板３１の後面に生じた結露水を、排水溝４２により円滑に排出することができるようになる。この場合も排水溝４２は断熱材３２と一体に成形されているので、排水構造が簡素化され、部品点数の削減によるコストの低減を図ることが可能となる。
【００５３】
更に、排水溝４２を含む断熱材３２の前面に、商品サンプル取付板３１の後面に当接する連続気泡のパッキン４４を左右に渡って設けているので、排水溝４２から離れた位置に成長した結露水をパッキン４４にて吸収し、蒸発処理、或いは、排水溝４２まで導いて排出処理することができるようになる。また、パッキン４４が左右に渡って設けられ、断熱材３２と商品サンプル取付板３１間の間隔Ｇを上下で区画することになるので、間隔Ｇ内に下方から流入してくる空気や、間隔Ｇ内における上下方向の空気の対流が阻止され、これによっても上部側内扉２１の断熱性能が向上する。
【００５４】
また、断熱材３２の前面には、商品サンプル取付板３１の後側に間隔Ｇを存して、配線を収納するための配線収納部４３を一体に成形しているので、商品サンプル取付板３１から引き出された（或いは、商品サンプル取付板３１に向かう）配線を、この配線収納部４３に収納することができるようになり、格別な配線収納具を取り付ける必要がなくなって、部品点数の簡素化を図ることが可能となる。
【００５５】
そして、商品サンプル取付板３１を断熱材３２に取り付けるための内扉取付板４６を、断熱材３２にインサート成形により、一体に埋め込んでいるので、塗装鋼板にて構成された商品サンプル取付板３１に、従来のような複雑な曲げ加工を施すこと無く、断熱材３２に一体に埋め込まれた内扉取付板４６に商品サンプル取付板３１を取り付けることができるようになり、商品サンプル取付板３１の形状を著しく簡素化することができるようになって、コストダウンを達成することが可能となる。
【００５６】
また、図８に示した従来の商品サンプル取付板１００のような、断熱材を囲い込む曲げ加工１０１が必要なくなり、商品サンプル取付板３１としては平板を使用できるので、曲げ加工１０１部分から回り込んで商品収納部から商品サンプル取付板１００に直接伝導する冷却作用も解消若しくは抑制される。これによっても上部側内扉２１の断熱性能は一段と向上する。更に、この内扉取付板４６にヒンジ４７を取り付け、上部側内扉２１を外扉３に取り付けるようにしているので、上部側内扉２１を外扉３に取り付けるための構造も簡素化することができ、一層のコストの削減を図ることが可能となる。
【００５７】
それに加えて断熱材３２の下側に設けられて商品サンプル取付板３１からの結露水を受ける排水受け４８が形成されたカバー３３を内扉取付板４６に取り付けているので、結露水を排出するための機能を奏するカバー３３を上部側内扉２１に取り付けるための構造も簡素化することができるようになる。
【００５８】
尚、上記実施例では商品サンプル保持具５０のブラケット４０に取付爪３９を一体に形成したが、それに限らず、別体のネジやクリップで取付孔３５に商品サンプル保持具５０を取り付けても良い（ＬＥＤ照明装置３４の取付構造も同様）。また、実施例では突出部４１を縦断面半円形の筋状に形成したが、それに限らず、例えば断面が三角形となるものでもよい。
【００５９】
また、実施例では断熱材３２の前面に突出部４１を左右に渡って形成したが、それに限らず、上下に渡って筋状に形成してもよい。その場合でも商品サンプル取付板３１を支える効果を十分に奏することになる。
【００６０】
更に、筋状以外にも突起状の突出部を断熱材３２の前面に複数突出形成してもよい。それによれば、突出部４１と商品サンプル取付板３１とは点接触になるので、熱伝導を一層抑制することが可能となる。また、実施例では上部側内扉２１と下部側内扉２２を有する自動販売機１の上部側内扉２１に本発明を適用したが、外扉の後側に一枚の内扉を備えたものにも本発明が有効であることは云うまでもない。
【符号の説明】
【００６１】
１  自動販売機
２  本体
３  外扉
４  商品サンプル室
１６  商品収納部
２１  上部側内扉（内扉）
３１  商品サンプル取付板
３２  断熱材
３３  カバー
３４  ＬＥＤ照明装置（部材）
３５、３６  取付孔
３９  取付爪（取付構造）
４０  ブラケット
４１  突出部
４２  排水溝
４３  配線収納部
４４  パッキン
４５  商品サンプル棚
４６  内扉取付板
４７  ヒンジ
５０  商品サンプル保持具（部材）
Ｇ  間隔
【図１】
2014032463.tif 000003
【図２】
2014032463.tif 000004
【図３】
2014032463.tif 000005
【図４】
2014032463.tif 000006
【図５】
2014032463.tif 000007
【図６】
2014032463.tif 000008
【図７】
2014032463.tif 000009
【図８】
2014032463.tif 000010